(57)【要約】【課題】地色がＹ（イエロー）系であるような送信原稿を使用すると、送信先で再現される画像が黒ベタな画像となってしまう、という現象を防止することができるファクシミリ装置及び画像データ処理方法を提供する。【解決手段】本発明のファクシミリ装置は、原稿画像を読み取るスキャナ部１４０と、スキャナ部１４０における読み取り解像度をユーザーが設定した解像度より高解像度に設定する読み取り設定変更部１１１と、スキャナ部１４０で読み取ったスキャン画像データに対して画像処理を施す画像処理部１２１と、画像処理部１２１によって画像処理された処理画像に対してユーザーが設定した解像度の画像に変換する解像度変換部１２２と、解像度変換部１２２によって変換されたユーザー設定解像度画像を二値化処理する二値化部１２３と、二値化部１２３によって二値化処理された二値化データを符号化する符号化部１２４と、符号化部１２４によって符号化された符号化画像を通信回線に送信する送信部１２５と、を有することを特徴とする。【選択図】図２
2008205998.tif 000002
【特許請求の範囲】
【請求項１】
原稿画像を読み取る画像読み取り手段と、
該画像読み取り手段における読み取り解像度をユーザーが設定した解像度より高解像度に設定する読み取り設定変更手段と、
該画像読み取り手段で読み取ったスキャン画像データに対して画像処理を施す画像処理手段と、
該画像処理手段によって画像処理された処理画像に対してユーザーが設定した解像度の画像に変換する解像度変換手段と、
該解像度変換手段によって変換されたユーザー設定解像度画像を二値化処理する二値化処理手段と、
該二値化処理手段によって二値化処理された二値化データを符号化する画像符号化手段と、
該画像符号化手段によって符号化された符号化画像を通信回線に送信する画像送信手段と、
を有することを特徴とするファクシミリ装置。
【請求項２】
該二値化処理手段における二値化処理はバイリニア法により行うことを特徴とする請求項１に記載のファクシミリ装置。
【請求項３】
原稿画像を読み取る画像読み取り手段と、
該画像読み取り手段における読み取り解像度をユーザーが設定した解像度より高解像度に設定する読み取り設定変更手段と、
該画像読み取り手段で読み取ったスキャン画像データに対して画像処理を施す画像処理手段と、
該画像処理手段によって画像処理された処理画像に対してユーザーが設定した解像度の画像に変換する解像度変換手段と、
該解像度変換手段によって変換されたユーザー設定解像度画像を符号化する画像符号化手段と、
該画像符号化手段によって符号化された符号化画像を通信回線に送信する画像送信手段と、
を有することを特徴とするファクシミリ装置。
【請求項４】
該画像処理手段における画像処理は、エッジ強調、モアレ除去、背景除去の任意の組み合わせであることを特徴とする請求項１乃至請求項３のいずれかに記載のファクシミリ装置。
【請求項５】
該高解像度とは、該画像読み取り手段の性能のうち最も高いものであることを特徴とする請求項１乃至請求項４のいずれかに記載のファクシミリ装置。
【請求項６】
該高解像度とは、ユーザーが設定した解像度に対して、所定のテーブルで予め設定した解像度であることを特徴とする請求項１乃至請求項５のいずれかに記載のファクシミリ装置。
【請求項７】
画像読み取り手段における読み取り解像度をユーザーが設定した解像度より高解像度で画像データを読み取り、読み取られた画像データに対して、エッジ強調、モアレ除去、背景除去の任意の組み合わせの画像処理を施し、さらに画像処理された画像データをユーザーが設定した解像度の画像に変換することを特徴とする画像データ処理方法。
【発明の詳細な説明】
【技術分野】
【０００１】
本発明は、スキャナ部が読み取った原稿画像を電話回線を通じて遠隔地の他のファクシミリ装置に送信するファクシミリ装置、及び、このようなファクシミリ装置における画像データの処理方法に関する。
【背景技術】
【０００２】
スキャナ及びプリンタを備えたデジタル複合機（以下、単に複合機という）と呼ばれる装置がある。この複合機では、スキャナが原稿画像を読み取るスキャナ機能、プリンタが印刷を行う印刷機能、及びスキャナが読み取った原稿画像をプリンタが印刷するコピー機能などを備える。近年、この複合機にさらにファクシミリの送受信機能を備えたものが登場している。
【０００３】
例えば、特許文献１（特開２００４−３６３７０５号公報）には、原稿を画像情報として読み取ったスキャンデータを用い、少なくとも同報送信可能なファクシミリ装置としての機能を含む複数の機能を備えた複合装置であって、前記同報送信時には、前記スキャンデータを符号化した送信データを蓄積し、当該送信データを各送信先の条件に応じた解像度に変換した後に、前記各送信先に送信する複合装置において、前記スキャンデータの解像度を変換する第一の解像度変換手段と、前記第一の解像度変換手段とは別に設けられた、前記同報送信時における各送信先の条件に応じた解像度変換を行う第二の解像度変換手段とを有することを特徴とする複合装置が開示されている。
【特許文献１】特開２００４−３６３７０５号公報
【発明の開示】
【発明が解決しようとする課題】
【０００４】
特許文献１に記載されるような従来のファクシミリ送信においては、ファクシミリ通信プロトコルにより規定された解像度で送信用の原稿をスキャンし、このスキャンによって取得された二値画像データを符号化（ＭＭＲ、ＭＲ、ＭＨ）しファクシミリ送信を行ったり、或いは、ファクシミリ通信プロトコルにより規定された解像度で送信原稿をスキャンし、取得したグレースケール画像データに必要な画像処理（エッジ強調、モアレ除去、背景除去）を行い二値化した後、ファクシミリ送信を行ったり、していた。ところが、従来の以上のような２つの方法で、カラー原稿をスキャンしてファクシミリ送信するような場合、受信する側のファクシミリ装置で再現される画像の画質が劣化する、という問題があった。具体的には、カラー原稿の地色がＹ（イエロー）系であるような送信原稿を使用すると、送信先で再現される画像が黒ベタな画像となってしまう、という問題があった。
【課題を解決するための手段】
【０００５】
上記のような問題に対処するために、本発明のファクシミリ装置は、原稿画像を読み取る画像読み取り手段と、該画像読み取り手段における読み取り解像度をユーザーが設定した解像度より高解像度に設定する読み取り設定変更手段と、該画像読み取り手段で読み取ったスキャン画像データに対して画像処理を施す画像処理手段と、該画像処理手段によって画像処理された処理画像に対してユーザーが設定した解像度の画像に変換する解像度変換手段と、該解像度変換手段によって変換されたユーザー設定解像度画像を二値化処理する二値化処理手段と、該二値化処理手段によって二値化処理された二値化データを符号化する画像符号化手段と、該画像符号化手段によって符号化された符号化画像を通信回線に送信する画像送信手段と、を有することを特徴とする。
【０００６】
また、本発明のファクシミリ装置は、該二値化処理手段における二値化処理はバイリニア法により行うことを特徴とする。
【０００７】
また、本発明のファクシミリ装置は、原稿画像を読み取る画像読み取り手段と、該画像読み取り手段における読み取り解像度をユーザーが設定した解像度より高解像度に設定する読み取り設定変更手段と、該画像読み取り手段で読み取ったスキャン画像データに対して画像処理を施す画像処理手段と、該画像処理手段によって画像処理された処理画像に対してユーザーが設定した解像度の画像に変換する解像度変換手段と、該解像度変換手段によって変換されたユーザー設定解像度画像を符号化する画像符号化手段と、該画像符号化手段によって符号化された符号化画像を通信回線に送信する画像送信手段と、を有することを特徴とする。このような本発明のファクシミリ装置によれば、後述する本発明の効果に加え、カラー原稿の送信も可能となる。
【０００８】
また、本発明のファクシミリ装置は、該画像処理手段における画像処理は、エッジ強調、モアレ除去、背景除去の任意の組み合わせであることを特徴とする。
【０００９】
また、本発明のファクシミリ装置は、該高解像度とは、該画像読み取り手段の性能のうち最も高いものであることを特徴とする。
【００１０】
また、本発明のファクシミリ装置は、該高解像度とは、ユーザーが設定した解像度に対して、所定のテーブルで予め設定した解像度であることを特徴とする。
【００１１】
また、本発明の画像データ処理方法は、該画像読み取り手段における読み取り解像度をユーザーが設定した解像度より高解像度で画像データを読み取り、読み取られた画像データに対して、エッジ強調、モアレ除去、背景除去の任意の組み合わせの画像処理を施し、さらに画像処理された画像データをユーザーが設定した解像度の画像に変換することを特徴とする。
【００１２】
本発明のファクシミリ装置及び画像データ処理方法によれば、カラー原稿をスキャンしてファクシミリ送信するような場合、受信する側のファクシミリ装置で再現される画像の画質の劣化を防止することができる、という効果を奏することができる。さらに詳しくは、本発明によれば、カラー原稿の地色がＹ（イエロー）系であるような送信原稿を使用すると、送信先で再現される画像が黒ベタな画像となってしまう、という現象を防止することができる、という効果を奏することができる。
【発明を実施するための最良の形態】
【００１３】
以下、本発明の実施の形態を図面を参照しつつ説明する。本実施形態においてはファクシミリ装置として複合機を例にとり説明するが、本発明はこのような複合機に限らず単体としてのファクシミリ専用機などの画像形成装置にも適用可能なものである。
【００１４】
図１は本発明の実施の形態に係るファクシミリ装置（複合機）及びその周辺のシステム構成を示す図である。図１において、１０はＬＡＮ、ＷＡＮなどのネットワーク、２０は電話回線、１００は複合機、１１０は複合機の主制御を行う制御部、１２０はファクシミリ文書の送受信を行うファクシミリ部、１３０は記録媒体への印刷を行うプリンタ部、１４０は原稿の読み取りを行うスキャナ部、１５０はユーザーとのインターフェイスとなる操作パネル部、１６０はネットワークＩ／Ｆ、１７０はＵＳＢ  Ｉ／Ｆ、２００、２００’、２００’’はパーソナルコンピュータ、３００は外部機器をそれぞれ示している。
【００１５】
図１に示されるファクシミリ装置（複合機）周辺のシステムでは、クライアントなどのパーソナルコンピュータ２００、２００’、２００’’と複合機１００とが、ネットワーク１０を介して接続される構成となっている。また、複合機１００のファクシミリ部１２０が電話回線２０と、ＵＳＢ  Ｉ／Ｆ１７０が、携帯電話やデジタルカメラなどの外部機器３００と接続されるような構成とされている。
【００１６】
複合機１００は、情報処理装置からなる複合機本体の主制御を行う制御部１１０と、ユーザーの入力操作を受け付ける入出力装置である操作パネル部１５０と、原稿・画像をスキャンしてカラーで読み込むスキャナ部１４０と、印刷用紙等に印刷を行うプリンタ部１３０と、ファクシミリ送受信を行うファクシミリ部１２０とを備える。つまり、複合機１００は、スキャナ機能、印刷機能、スキャナ機能と印刷機能を組み合わせたコピー機能及びファクシミリ送受信機能を備えるものである。
【００１７】
複合機１００の情報処理機構は、いずれも例えば汎用的なコンピュータシステムにより構成され、個々の構成要素または機能は、例えば、記憶手段に書き込まれたコンピュータプログラムを実行することにより実現される。
【００１８】
スキャナ部１４０は、原稿を載置可能な不図示の原稿台とこれを読み取る光学系からなる。スキャナ部１４０の原稿台には、原稿台に載置した原稿のサイズを検知することができる原稿サイズ検知センサが設けられている。また、複合機に１００には、スキャナ部１４０に自動的に連続的に原稿を送致する構成であるＡＤＦ（Ａｕｔｏｍａｔｉｃ  Ｄｏｃｕｍｅｎｔ  Ｆｅｅｄｅｒ）を設けるようにしておいてもよい。
【００１９】
スキャナ部１４０によって読み取られた制御部１１０の不図示の記憶手段に一度取り込まれる。操作パネル部１５０などからの指定によって制御部１１０は、スキャナ部１４０で読み取られた原稿画像データを、そのまま、或いは設定された倍率でプリンタ部１３０から紙出力したり（複合機１００のコピー機能）、ファクシミリ部１２０から電話回線を通じて送信したり（複合機１００のファクシミリ機能）、ネットワークＩ／Ｆ１６０、ネットワーク１０を介して、パーソナルコンピュータ２００、２００’、２００’’に向けて送信したり（複合機１００のスキャナ機能）する。
【００２０】
プリンタ部１３０は、記録用紙上に画像を形成するものであり、レーザーやＬＥＤラインヘッドによって感光体上に潜像を形成する方式を採用した電子写真方式や、記録用紙上に直接インクを射出する方式を採用したインクジェット方式などの周知のハードウエア構成を用いることができる。制御部１１０は、操作パネル部１５０やパーソナルコンピュータ２００、２００’、２００’’或いは、携帯電話、デジタルカメラなどの外部機器３００からの指示に基づいて、プリンタ部１３０に所定の紙出力を行わせるものである。すなわち、プリンタ部１３０は、スキャナ部１４０によって読み取られた画像データやファクシミリ部２１０で受信されたファクシミリデータや、パーソナルコンピュータ２００、２００’、２００’’のアプリケーションソフトウエアからのデータや外部機器３００からの画像データなどを紙出力するものである。
【００２１】
ファクシミリ部１２０は、電話回線２０と接続されていて、ファクシミリの送受信を行うファクシミリ送受信部（不図示）と、ファクシミリ送受信部が送信するための送信データを一時記憶する送信バッファ及びファクシミリ送受信部が受信した受信データを一時記憶する受信バッファを構成するためのファクシミリ部用のメモリを備えている。
【００２２】
また、ファクシミリ部１２０は、電話回線２０からファクシミリ送信されてきたデータを受信すると、その受信データを一旦格納する。そして、格納された受信データは、制御部１１０へ送られて、プリンタ部１３０で印刷される。ファクシミリ部１２０は、複合機１００内の他の構成とは独立にファクシミリ送受信を行う。つまり、ファクシミリ部１２０は、複合機１００から送信データを受け付けると、複合機１００とは独立にファクシミリ送信を行うし、電話回線２０からファクシミリデータが送信されてくれば、それを受信する。
【００２３】
複合機１００のコピー機能は、ユーザーの操作パネル部１５０の操作によって制御部１１０に設定される。操作パネル部１５０からは、コピー機能に係るコピー倍率の設定、原稿画像サイズの設定、出力用紙のサイズの設定を行うことができ、制御部１１０はこれらの設定に基づいて、複合機１００のコピー機能を実行する。複合機１００のコピー機能は、スキャナ部１４０にて読み取った原稿の原稿画像データに、コピー倍率処理を施し、これをプリンタ部１３０で指定されたサイズの用紙に紙出力する。
【００２４】
操作パネル部１５０のハードウエアは、操作に係わる表示を行うＬＣＤからなる表示部と、指などによる押圧で入力が行えるタッチパネル部とから概略構成される。これらの表示部とタッチパネル部とは重ねて構成されており、ユーザーは表示部の表示を参照しつつ、指でタッチパネル部を操作することで複合機１００の各種設定を行うことができるようになっている。タッチパネル部による入力機構、表示部による表示機構の具体的な構成については、周知の技術を用いることができる。この操作パネル部１５０で行うことができるのは、複合機１００のファクシミリ機能、プリンタ機能、コピー機能といった各種機能の選択、画像のプレビュー表示などである。
【００２５】
以上のように構成される複合機１００におけるファクシミリ部１２０についてより詳しく説明する。図２は、本発明の実施の形態に係るファクシミリ装置（複合機）の画像送信のための構成を抜き出して示した図である。
【００２６】
図２における、図１に示さなかった部分について説明すると、１１１は制御部１１０における読み取り設定変更部、１１２は転送用メモリ、１２１はファクシミリ部１２０における画像処理部、１２２は解像度変換部、１２３は二値化部、１２４は符号化部、１２５は送信部を示すものである。
【００２７】
複合機１００においてファクシミリ送信を行う場合、ユーザーは操作パネル部１５０により、送信画質モードを選択する。ユーザーによって設定された送信画質モードは制御部１１０でのスキャナ部１４０などの設定条件に反映される。本発明においては、スキャナ部１４０における解像度の設定は、ユーザーが設定した解像度より高解像度に設定とするように読み取り設定変更部１１１が変更を行う。本発明では、このように解像度の高いモードで読み取りを行うことによって、受信する側のファクシミリ装置で再現される画像の画質の劣化を防止する。また、このように解像度の高いモードで読み取りを行うと、特に、原稿の地色がＹ（イエロー）系であるような送信原稿を使用するときに、送信先で再現される画像が黒ベタな画像とならない。
【００２８】
また、ユーザーは操作パネル部１５０により、ファクシミリ部１２０においてカラー送信を実行するのかモノクロ送信を実行するのかのモード選択も行うようになっている。
【００２９】
スキャナ部１４０は、原稿に記載されている文字や絵などを画像情報として読み取る部分であり、読み取り後の画像情報を画像データとして出力する。この画像データは、例えば、画素毎の色情報を例えば８ビット（２５６階調）の多値で表現したデータであり、以下、このスキャナ部１４０から出力される画像データのことをスキャン画像データなどと称する。スキャナ部１４０から出力されるスキャン画像データは、制御部１１０の転送用メモリ１１２を介して、次にファクシミリ部１２０の画像処理部１２１へと転送される。
【００３０】
画像処理部１２１は、スキャン画像データの画像処理を行う部分である。スキャナ部１４０で生成されるスキャン画像データは、多値で表現された、所謂グレースケールデータであり、このようなグレースケールデータに対して、画像処理部１２１ではエッジ強調、モアレ除去、背景除去などの画像処理を行うことによってファクシミリ送信画像の画質の向上を図るものである。なお、このような画像処理はエッジ強調、モアレ除去、背景除去単独の処理を行ってもよいし、全ての処理を行ってもよいし、または任意の組み合わせを実行してもよい。画像処理部１２１におけるエッジ強調、モアレ除去、背景除去などの画像処理についてはいずれも周知の方法を用いることができる。
【００３１】
解像度変換部１２２は、画像処理部１２１で画像処理されたデータを、解像度変換する。ここで行う解像度は、ユーザーが設定した解像度への変換である。スキャンデータをファクシミリ送信するとき、モノクロデータの場合には、ファクシミリの解像度、例えば、主走査方向２０３ｄｐｉ、副走査方向９８、１９６、又は３９１ｄｐｉ、に変換し、カラーデータの場合には指定された所定の解像度、例えば３６０又は７２０ｄｐｉなどに変換する。また、ファクシミリ送信を行う画像がモノクロの場合には、解像度変換部１２２から二値化部１２３へとデータが受け渡され、カラーの場合には、解像度変換部１２２から符号化部１２４へとデータが受け渡される。
【００３２】
二値化部１２３は、多値（例えば８ビット）の画像データを２値に変換する部分である。前記スキャナ部１４０で読み込んだ原稿をモノクロの画像データとしてファクシミリ送信したり印刷したりする際に、処理を実行する。ここで、二値化処理としては、ニアレストネイバー法、バイリニア法などいずれも周知の方法を用いることができるが、本発明においてより画質向上に貢献するのはバイリニア法であるという知見を得ている。
【００３３】
なお、ニアレストネイバー法は、拡大（縮小）率に応じて、変換前の座標から適切なピクセル座標を取得し、その座標を変換後の色として採用するものである。従って、変換前と変換後とで色数が変化することはない。ニアレストネイバー法は、高速で処理できる反面、いわゆる単純間引きのため、画質の低下は否めない。
【００３４】
また、バイリニア法は、拡大（縮小）率に応じて、変換後のピクセルが変換前の領域に相当するのかを取得し、その領域内にある色を線形補完して、変換後のピクセルとするものである。従って、バイリニア法は、変換前には存在しない色が含まれることになり、一般的に色数は増える傾向にある。
【００３５】
符号化部１２４は、画像データをエンコード（符号化）する部分である。前記スキャナ部１４０で読み取ったスキャン画像データ等をファクシミリ送信する際には、送信先（相手機）に合ったエンコード方式でデータを送る必要があるため、この符号化部１２４は、そのためのエンコードを行う。例えば、モノクロデータの場合には、ＭＨ、ＭＲ、ＭＭＲといった形式にエンコードし、カラーデータの場合にはＪＰＥＧ等の形式にエンコードする。
【００３６】
送信部１２５は、符号化部１２４で符号化された画像データを一時的に記憶する送信用のバッファメモリを備える。送信部１２５は、当該バッファメモリから画像データを取り出して、モデムによって相手機の解像度やエンコード方式等についても交信を行いつつ、逐次画像データを送信していく。
【００３７】
次に、以上のように構成される複合機１００におけるファクシミリ部１２０の画像送信制御について説明する。図３は、本発明の実施の形態に係るファクシミリ装置（複合機）の画像送信フローを示す図である。
【００３８】
図３において、ステップＳ１００において、ファクシミリ送信処理が開始されると、次にステップＳ１０１において、読み取り設定変更部１１１によってスキャナ部１４０の解像度が最高に設定されて、原稿の読み取りが行われる。本実施形態においては、読み取り設定変更部１１１はユーザーによる設定の如何に関わらず、一律的にスキャナ部１４０の解像度を最高に設定する。原稿を読み取ったスキャナ部１４０はスキャン画像データを出力する。
【００３９】
次にステップＳ１０２において、スキャナ部１４０から出力されたスキャン画像データは、制御部１１０の転送用メモリ１１２を介して、ファクシミリ部１２０の画像処理部１２１へと転送され、スキャン画像データに前述の画像処理が施される。
【００４０】
次にステップＳ１０３においては、解像度変換部１２２にて、画像処理部１２１で画像処理されたデータを、ユーザーが操作パネル部１５０で設定した解像度への変換を行う。
【００４１】
次に、ステップＳ１０４で、画像データがモノクロデータであるのかカラーデータであるのかが判定される。ステップＳ１０４における判定の結果、画像データがモノクロデータである場合には、ステップＳ１０５に進み、画像データがカラーデータである場合には、ステップＳ１０６に進む。
【００４２】
ステップＳ１０５では、二値化部１２３にて、多値（例えば８ビット）のモノクロの画像データを２値に変換する。
【００４３】
ステップＳ１０６では、符号化部１２４において、画像データをエンコード（符号化）する。符号化部１２４では画像データが、モノクロデータの場合には、ＭＨ、ＭＲ、ＭＭＲといった形式にエンコードし、カラーデータの場合にはＪＰＥＧ等の形式にエンコードする。
【００４４】
次にステップＳ１０７では、符号化部１２４で符号化された画像データをモデムによって相手機に対して送信する。ステップＳ１０８でファクシミリ送信処理を終了する。
【００４５】
以上のような本発明のファクシミリ装置及び画像データ処理方法によれば、カラー原稿をスキャンしてファクシミリ送信するような場合、受信する側のファクシミリ装置で再現される画像の画質の劣化を防止することができる。さらに詳しくは、本発明によれば、カラー原稿の地色がＹ（イエロー）系であるような送信原稿を使用すると、送信先で再現される画像が黒ベタな画像となってしまう、という現象を防止することができる。
【００４６】
次に、本発明の他の実施形態について説明する。図４は、本発明の他の実施の形態に係るファクシミリ装置（複合機）の画像送信フローを示す図である。また図５は、本発明の他の実施の形態に係るファクシミリ装置（複合機）が参照するテーブルを示す図である。図５のテーブルは、操作パネル部１５０のユーザー設定による送信画質モード（解像度）と、読み取り設定変更部１１１がスキャナ部１４０で設定する解像度との関係を記述したものである。なお、ここでの送信画質モードは、モノクロデータに話題を限定する。
【００４７】
ユーザーが設定可能なファクシミリ送信におけるモノクロの送信画質モードには「標準モード」、「精細モード」、「高精細モード」がある。標準モードは、主走査方向の解像度は２０３ｄｐｉであり、また副走査方向の解像度は９８ｄｐｉである。また、精細モードは、主走査方向の解像度は２０３ｄｐｉであり、また副走査方向の解像度は１９６ｄｐｉである。また、高精細モードは、主走査方向の解像度は２０３ｄｐｉであり、また副走査方向の解像度は３９１ｄｐｉである。
【００４８】
本実施形態においては、ユーザーが「標準モード」を選択した場合には、読み取り設定変更部１１１がスキャナ部１４０で設定する解像度は、主走査方向の解像度を３０４ｄｐｉとし、副走査方向の解像度を２９４ｄｐｉとする。また、ユーザーが「精細モード」を選択した場合には、読み取り設定変更部１１１がスキャナ部１４０で設定する解像度は、主走査方向の解像度を３０４ｄｐｉとし、副走査方向の解像度を２９４ｄｐｉとする。ユーザーが「高精細モード」を選択した場合には、読み取り設定変更部１１１がスキャナ部１４０で設定する解像度は、主走査方向の解像度を３０４ｄｐｉとし、副走査方向の解像度を３９１ｄｐｉとする。このような図５のテーブルの設計思想は、少なくとも３００ｄｐｉ前後の解像度で原稿を読み取ると、本発明による画質改善効果がある、という知見に基づいている。ただ、言うまでもなく、本発明はこの解像度に限定されるものではない。
【００４９】
次に図４のフローチャートについて説明する。ステップＳ２００でファクシミリ送信処理が開始されると、続いてステップＳ２０１でユーザーによって設定された送信モードがカラーモードであるのか、モノクロモードであるのかが判定される。カラーモードが設定されていた場合にはステップＳ２１２へと進み、読み取り設定変更部１１１はユーザーが設定した画質モードより一段高い解像度にスキャナ部１４０を設定する。
【００５０】
ステップＳ２０１でモノクロモードが設定されていた場合には、続くステップＳ２０２以下のステップで、ユーザーが設定した送信画質モードが「標準モード」、「精細モード」、「高精細モード」のうちどれであるのかを判定する。
【００５１】
ステップＳ２０２ではユーザーが設定したモードが標準モードであるか否かが判定される。ステップＳ２０２の判定の結果がＹＥＳである場合には、ステップＳ２１３へと進み、ステップＳ２１３において読み取り設定変更部１１１は図５に示すテーブルの（Ｉ）を参照して、スキャナ部１４０の解像度を設定する。ステップＳ２０２の判定の結果がＮＯである場合には、ステップＳ２０３へと進む。
【００５２】
ステップＳ２０3ではユーザーが設定したモードが精細モードであるか否かが判定される。ステップＳ２０3の判定の結果がＹＥＳである場合には、ステップＳ２１４へと進み、ステップＳ２１４において読み取り設定変更部１１１は図５に示すテーブルの（ＩＩ）を参照して、スキャナ部１４０の解像度を設定する。ステップＳ２０3の判定の結果がＮＯである場合には、ステップＳ２０４へと進む。
【００５３】
ステップＳ２０４に到達するということは、送信画質モードは残る高精細モードであるということになるので、読み取り設定変更部１１１は図５に示すテーブルの（ＩＩＩ）を参照して、スキャナ部１４０の解像度を設定する。
【００５４】
次にステップＳ１０１において、読み取り設定変更部１１１により設定される解像度に基づいてスキャナ部１４０で原稿の読み取りが行われ、スキャン画像データが出力される。
【００５５】
次にステップＳ２０６において、スキャナ部１４０から出力されたスキャン画像データは、制御部１１０の転送用メモリ１１２を介して、ファクシミリ部１２０の画像処理部１２１へと転送され、スキャン画像データに前述の画像処理が施される。
【００５６】
次にステップＳ２０７においては、解像度変換部１２２にて、画像処理部１２１で画像処理されたデータを、ユーザーが操作パネル部１５０で設定した解像度への変換を行う。
【００５７】
次に、ステップＳ２０８で、画像データがモノクロデータであるのかカラーデータであるのかが判定される。ステップＳ２０８における判定の結果、画像データがモノクロデータである場合には、ステップＳ２０９に進み、画像データがカラーデータである場合には、ステップＳ２１０に進む。
【００５８】
ステップＳ２１０では、二値化部１２３にて、多値（例えば８ビット）のモノクロの画像データを２値に変換する。
【００５９】
ステップＳ２１１では、符号化部１２４において、画像データをエンコード（符号化）する。符号化部１２４では画像データが、モノクロデータの場合には、ＭＨ、ＭＲ、ＭＭＲといった形式にエンコードし、カラーデータの場合にはＪＰＥＧ等の形式にエンコードする。
【００６０】
次にステップＳ２１１では、符号化部１２４で符号化された画像データをモデムによって相手機に対して送信する。ステップ２１５でファクシミリ送信処理を終了する。
【００６１】
以上、本実施形態のファクシミリ装置及び画像データ処理方法によれば、カラー原稿をスキャンしてファクシミリ送信するような場合、受信する側のファクシミリ装置で再現される画像の画質の劣化を防止することができる。さらに詳しくは、本発明によれば、カラー原稿の地色がＹ（イエロー）系であるような送信原稿を使用すると、送信先で再現される画像が黒ベタな画像となってしまう、という現象を防止することができる。
【００６２】
また、この実施形態の場合、必ずしもスキャナ部１４０の最高の解像度でスキャンを行うわけではないので、先の実施形態に比べて、メモリ量の節約や読み取り時間の短縮を図ることができる。
【図面の簡単な説明】
【００６３】
【図１】本発明の実施の形態に係るファクシミリ装置（複合機）及びその周辺のシステム構成を示す図である。
【図２】本発明の実施の形態に係るファクシミリ装置（複合機）の画像送信のための構成を抜き出して示した図である。
【図３】本発明の実施の形態に係るファクシミリ装置（複合機）の画像送信フローを示す図である。
【図４】本発明の他の実施の形態に係るファクシミリ装置（複合機）の画像送信フローを示す図である。
【図５】本発明の他の実施の形態に係るファクシミリ装置（複合機）が参照するテーブルを示す図である。
【符号の説明】
【００６４】
１０・・・ネットワーク、２０・・・電話回線、１００・・・複合機、１１０・・・制御部、１１１・・・読み取り設定変更部、１１２・・・転送用メモリ、１２０・・・ファクシミリ部、１２１・・・・・・画像処理部、１２２・・・解像度変換部、１２３・・・二値化部、１２４・・・符号化部、１２５・・・送信部、１３０・・・プリンタ部、１４０・・・スキャナ部、１５０・・・操作パネル部、１６０・・・ネットワークＩ／Ｆ、１７０・・・ＵＳＢ  Ｉ／Ｆ、２００、２００’、２００’’ ・・・パーソナルコンピュータ、３００・・・外部機器
【図１】
2008205998.tif 000003
【図２】
2008205998.tif 000004
【図３】
2008205998.tif 000005
【図４】
2008205998.tif 000006
【図５】
2008205998.tif 000007